【手続補正書】
【提出日】平成17年4月11日(2005.4.11)
【手続補正１】
【補正対象書類名】明細書
【補正対象項目名】特許請求の範囲
【補正方法】変更
【補正の内容】
【特許請求の範囲】
【請求項１】
コンピュータシステムを用いて、人間が発声した音声を認識するために用いられる音声認識辞書を作成する音声認識辞書作成方法であって、
コンピュータシステムにおいて、前記音声認識辞書によって認識対象とするテキストを、当該テキストに含まれる所定の記号文字をスペース文字に置き換えたテキストに変換する変換ステップと、
コンピュータシステムにおいて、前記変換ステップで変換されたテキストの発音を表す発音データを生成する発音データ生成ステップと、
コンピュータシステムにおいて、前記発音データ生成ステップで生成された発音データを、前記認識対象とするテキストを認識するための発音データとして前記音声認識辞書に格納するステップとを有することを特徴とする音声認識辞書作成方法。
【請求項２】
請求項１記載の音声認識辞書作成方法であって、
コンピュータシステムを用いて、人間が発声した音声を認識するために用いられる音声認識辞書を作成する音声認識辞書作成方法であって、
コンピュータシステムにおいて、前記音声認識辞書によって認識対象とするテキストを、当該テキストに含まれる記号文字"#"の文字列"number"への置き換えと、当該テキストに含まれる記号文字"&"の文字列"and"への置き換えと、当該テキストに含まれる記号文字"@"の文字列"at"への置き換えとのうちの少なくとも一つの置き換えを行ったテキストに変換する変換ステップと、
コンピュータシステムにおいて、前記変換ステップで変換されたテキストの発音を表す発音データを生成する発音データ生成ステップと、
コンピュータシステムにおいて、前記発音データ生成ステップで生成された発音データを、前記認識対象とするテキストを認識するための発音データとして前記音声認識辞書に格納するステップとを有することを特徴とする音声認識辞書作成方法。
【請求項３】
コンピュータシステムを用いて、人間が発声した音声を認識するために用いられる音声認識辞書を作成する音声認識辞書作成方法であって、
コンピュータシステムにおいて、前記音声認識辞書によって認識対象とするテキストを、当該テキストに含まれる第１の言語に含まれ第２の言語に含まれない文字を、当該第１の言語の文字の発音に相当または近似する発音を有する前記第２の言語の文字に置き換えたテキストに変換する変換ステップと、
コンピュータシステムにおいて、前記変換ステップで変換されたテキストの前記第２の言語の発音ルールに従った発音を表す発音データを生成する発音データ生成ステップと、
コンピュータシステムにおいて、前記発音データ生成ステップで生成された発音データを、前記認識対象とするテキストを認識するための発音データとして前記音声認識辞書に格納するステップとを有することを特徴とする音声認識辞書作成方法。
【請求項４】
コンピュータシステムを用いて、人間が発声した音声を認識するために用いられる音声認識辞書を作成する音声認識辞書作成方法であって、
コンピュータシステムにおいて、前記音声認識辞書によって認識対象とするテキストが、第１の言語によって対象を略記したテキストであった場合に、当該テキストが表す対象を略記せずに第１の言語によって表したテキストに含まれる第１の言語に含まれ第２の言語に含まれない文字を、当該第１の言語による文字の発音に相当または近似する発音を有する第２の言語の文字に置き換えたテキストに、前記認識対象とするテキストを変換する変換ステップと、
コンピュータシステムにおいて、前記変換ステップで変換されたテキストの前記第２の言語の発音ルールに従った発音を表す発音データを生成する発音データ生成ステップと、
コンピュータシステムにおいて、前記発音データ生成ステップで生成された発音データを、前記認識対象とするテキストを認識するための発音データとして前記音声認識辞書に格納するステップとを有することを特徴とする音声認識辞書作成方法。
【請求項５】
人間が発声した音声を認識するために用いられる音声認識辞書を作成する音声認識辞書作成システムであって、
テキストの変換ルールを格納した変換ルールテーブルと、
前記音声認識辞書によって認識対象とするテキストを、前記変換ルールテーブルの変換ルールに従って変換する変換手段と、
前記変換手段で変換されたテキストの発音を表す発音データを生成する発音データ生成手段と、
前記発音データ生成ステップで生成された発音データを、前記認識対象とするテキストを認識するための発音データとして前記音声認識辞書に格納する格納手段とを有し、
前記変換ルールテーブルに格納された変換ルールは、テキストを、当該テキストに含まれる所定の記号文字をスペース文字に置き換えたテキストに変換するものであることを特徴とする音声認識辞書作成システム。
【請求項６】
ユーザからの音声入力を受け付けるナビゲーション装置であって、
テキストと当該テキストに対応する発音データとの対応が登録された音声認識辞書を記憶した記憶手段と、
マイクと、
前記マイクから入力した音声に整合する発音データに対応して前記音声認識辞書に登録されているテキストをユーザが音声入力した内容を表すテキストとして認識する音声認識手段とを有し、
前記音声認識辞書において、所定の記号文字を含むテキストについては、当該テキストに対応する発音データとして、当該テキストに含まれる所定の記号文字をスペース文字に置き換えたテキストを音声データ化して得られた発音データが登録されていることを特徴とするナビゲーション装置。
【請求項７】
ユーザからの音声入力を受け付けるナビゲーション装置であって、
テキストと当該テキストに対応する発音データとの対応が登録された音声認識辞書を記憶した記憶手段と、
マイクと、
前記マイクから入力した音声に整合する発音データに対応して前記音声認識辞書に登録されているテキストをユーザが音声入力した内容を表すテキストとして認識する音声認識手段とを有し、
前記音声認識辞書において、記号文字"#"を含むテキストについては、当該テキストに対応する発音データとして、当該テキストに含まれる記号文字"#"を文字列"number"に置き換えたテキストを音声データ化して得られた発音データが登録されており、記号文字"&"を含むテキストについては、当該テキストに対応する発音データとして、当該テキストに含まれる記号文字"&"を文字列"and"に置き換えたテキストを音声データ化して得られた発音データが登録されており、記号文字"@"を含むテキストについては、当該テキストに対応する発音データとして、当該テキストに含まれる記号文字"@"を文字列"at"に置き換えたテキストを音声データ化して得られた発音データが登録されていることを特徴とするナビゲーション装置。
【請求項８】
ユーザからの音声入力を受け付けるナビゲーション装置であって、
テキストと当該テキストに対応する発音データとの対応が登録された音声認識辞書を記憶した記憶手段と、
マイクと、
前記マイクから入力した音声に整合する発音データに対応して前記音声認識辞書に登録されているテキストをユーザが音声入力した内容を表すテキストとして認識する音声認識手段とを有し、
前記音声認識辞書において、第１の言語に含まれ第２の言語に含まれない文字を含むテキストについては、当該テキストに対応する発音データとして、当該テキストに含まれる第１の言語に含まれ第２の言語に含まれない文字を、当該第１の言語の文字の発音に相当または近似する発音を有する前記第２の言語の文字に置き換えたテキストを音声データ化して得られた発音データが登録されていることを特徴とするナビゲーション装置。
【請求項９】
ユーザからの音声入力を受け付けるナビゲーション装置であって、
テキストと当該テキストに対応する発音データとの対応が登録された音声認識辞書を記憶した記憶手段と、
マイクと、
前記マイクから入力した音声に整合する発音データに対応して前記音声認識辞書に登録されているテキストをユーザが音声入力した内容を表すテキストとして認識する音声認識手段とを有し、
前記音声認識辞書において、第１の言語によって対象を略記したテキストについては、当該テキストに対応する発音データとして、当該テキストが表す対象を略記せずに第１の言語によって表したテキストに含まれる第１の言語に含まれ第２の言語に含まれない文字を、当該第１の言語による文字の発音に相当または近似する発音を有する第２の言語の文字に置き換えたテキストを音声データ化して得られた発音データが登録されていることを特徴とするナビゲーション装置。